(57)【要約】【課題】粘度低下を極力抑え、粉末白色度を高めたカルボキシメチルセルロース塩（ＣＭＣ塩）を提供する。【解決手段】（ａ）セルロースをアルカリセルロース化し、さらにエーテル化してＣＭＣ塩水溶液を製造する工程、（ｂ）該ＣＭＣ塩水溶液を中和し、ＣＭＣ塩を分離する工程、および（ｃ）該ＣＭＣ塩を漂白剤により漂白する工程からなるＣＭＣ塩の製造方法であって、前記（ｂ）工程における中和後のＣＭＣ塩水溶液のｐＨが７．０〜９．０、ＣＭＣ塩水溶液から分離されたＣＭＣ塩における溶媒／ＣＭＣ塩固形分の重量比が０．５〜３．０、および該工程（ｃ）が、４０〜８０℃においてＣＭＣ塩１００重量部に対して漂白剤として１〜５重量％過酸化水素水溶液を２〜１０重量部添加して製造する。【選択図】なし【特許請求の範囲】
【請求項１】
（ａ）セルロースをアルカリセルロース化し、さらにエーテル化してカルボキシメチルセルロース塩水溶液を製造する工程、
（ｂ）該カルボキシメチルセルロース塩水溶液を中和し、カルボキシメチルセルロース塩を分離する工程、および
（ｃ）該カルボキシメチルセルロース塩を漂白剤により漂白する工程
からなるカルボキシメチルセルロース塩の製造方法であって、
前記（ｂ）工程における中和後のカルボキシメチルセルロース塩水溶液のｐＨが７．０〜９．０、カルボキシメチルセルロース塩水溶液から分離されたカルボキシメチルセルロース塩における溶媒／カルボキシメチルセルロース塩固形分の重量比が０．５〜３．０、および該工程（ｃ）が、４０〜８０℃においてカルボキシメチルセルロース塩１００重量部に対して漂白剤として１〜５重量％過酸化水素水溶液を２〜１０重量部添加して行なわれることを特徴とするカルボキシメチルセルロース塩の製造方法。
【請求項２】
さらに、工程（ｃ）ののちに、（ｄ）カルボキシメチルセルロース塩の副生塩および残存漂白剤を除去する工程を含む請求項１記載のカルボキシメチルセルロース塩の製造方法。
【請求項３】
前記工程（ｄ）が、カルボキシメチルセルロース塩１００重量部に対して６０〜９５重量％のメタノール水溶液５〜１０重量部を添加し攪拌する工程からなる請求項２記載のカルボキシメチルセルロース塩の製造方法。
【発明の詳細な説明】
【技術分野】
【０００１】
本発明は、カルボキシメチルセルロース塩の製造方法に関するものである。
【背景技術】
【０００２】
カルボキシメチルセルロース塩（以下ＣＭＣ塩という）は、原料セルロースとアルカリとを反応させて得られるアルカリセルロースと、モノクロロ酢酸などのカルボキシメチルエーテル化剤とを反応させて製造される水溶性高分子であり、増粘剤、分散剤、保護コロイド剤、石油ボーリング用泥水添加剤などとして広く用いられているものである。
【０００３】
ＣＭＣ塩の製造法は、反応媒体として水を用いる水媒法および有機溶媒を用いる溶媒法の二方法に大別される。とくに、溶媒法は水媒法と比較して、少量のアルカリ量でアルカリセルロースを得ることができ、エーテル化反応が比較的短時間で達成され、エーテル化剤の有効利用率が高いためにエーテル化剤の使用量が少なく、さらに高粘度のＣＭＣ塩を製造しやすいことから、工業的に非常に多く実用化されている。溶媒法において、有機溶媒としては、エチルアルコール、イソプロピルアルコール、アセトンおよびこれらの混合溶媒が使用されているが、イソプロピルアルコールが最も一般的である。溶媒法では、ＣＭＣ塩は、含水有機溶媒中において、粉砕した原料セルロース、または粉末状原料セルロースとアルカリとを反応させて、原料セルロースの結晶構造を破壊させたのちに、モノクロロ酢酸などのエーテル化剤を添加することによって製造される。
【０００４】
ところで、ＣＭＣ塩は通常粉末に仕上げられたものであり、粉末が白色なほど品質が高いとされている。また、使用時は水溶液として使用するが、粉末の色が白いほど透明度が高く、このようなことからＣＭＣ塩は白色度の高いものが好まれる。
【０００５】
白色度を支配する因子において、パルプ中に、リグニン、樹脂成分、ペントサン、マンナンなどが微量成分として含まれていると、粉末が褐黄色を呈し、さらに水溶液にすると水溶液が薄い褐黄色となる。つまり、α−セルロース分により評価される通常純度が高純度品ほど白色度が高いといえる。
【０００６】
また、表１（「紙パルプの製造技術、全書、第２巻による分析例」３７０〜３７５頁（１９９６））に示すように、パルプの漂白の場合においても、パルプの希望する白さ、すなわち白色度において、パルプの着色物質の主体はリグニンであり、ほかに抽出成分や糖の変成物質などが含まれる。
【０００７】
【表１】
2006241374.tif 000002
【０００８】
一般に漂白されたパルプである晒パルプは、高い白色度を要求されるので、リグニンに代表される着色物質を完全に除去することが必要である。
【０００９】
従来、多量の漂白剤を使用してリグニンなどの着色物質の除去が行われている。しかしながら、完全なリグニンなどの着色物質の除去は困難であり、漂白剤を多量に使用することは、セルロース分子の著しい崩壊を招くだけで白色度に対する効果は期待できない。
【００１０】
ＣＭＣ塩においてもパルプと基本的な考え方は同様である。ＣＭＣ塩と漂白剤という組み合わせは、一般に過酸化水素を用いてセルロースの解重合による粘度低下剤として使用することが提案されている（特許文献１〜４参照）。しかしながら、これらの方法では、ＣＭＣ塩の粘度低下が著しく、また白色度の向上においても寄与が少ないという問題点がある。
【００１１】
【特許文献１】特許第２８０００６１号
【特許文献２】特許第２８０００６２号
【特許文献３】特開２０００−１１９３０３号
【特許文献４】特開２０００−２９０３０１号
【発明の開示】
【発明が解決しようとする課題】
【００１２】
本発明は、カルボキシメチルセルロース塩の製法において、粉末の粘度低下を極力抑え白色度の高いカルボキシメチルセルロース塩を向上させることを目的としている。
【課題を解決するための手段】
【００１３】
すなわち、本発明は、
（ａ）セルロースをアルカリセルロース化し、さらにエーテル化してカルボキシメチルセルロース塩水溶液を製造する工程、
（ｂ）該カルボキシメチルセルロース塩水溶液を中和し、カルボキシメチルセルロース塩を分離する工程、および
（ｃ）該カルボキシメチルセルロース塩を漂白剤により漂白する工程
からなるカルボキシメチルセルロース塩の製造方法であって、
前記（ｂ）工程における中和後のカルボキシメチルセルロース塩水溶液のｐＨが７．０〜９．０、カルボキシメチルセルロース塩水溶液から分離されたカルボキシメチルセルロース塩における溶媒／カルボキシメチルセルロース塩固形分の重量比が０．５〜３．０、および該工程（ｃ）が、４０〜８０℃においてカルボキシメチルセルロース塩１００重量部に対して漂白剤として１〜５重量％過酸化水素水溶液を２〜１０重量部添加して行なわれることを特徴とするカルボキシメチルセルロース塩の製造方法に関する。
【００１４】
さらに、（ｄ）カルボキシメチルセルロース塩の副生塩および残存漂白剤を除去する工程を含むことが好ましい。
【００１５】
前記工程（ｄ）が、カルボキシメチルセルロース塩１００重量部に対して６０〜９５重量％のメタノール水溶液５〜１０重量部を添加し攪拌する工程からなることが好ましい。
【発明の効果】
【００１６】
本発明によると、ＣＭＣ塩の粘度低下を極力おさえて粉末白色度を向上することができる。
【発明を実施するための最良の形態】
【００１７】
本発明は、
（ａ）セルロースをアルカリセルロース化し、さらにエーテル化してカルボキシメチルセルロース塩水溶液を製造する工程、
（ｂ）該カルボキシメチルセルロース塩水溶液を中和し、カルボキシメチルセルロース塩を分離する工程、および
（ｃ）該カルボキシメチルセルロース塩を漂白剤により漂白する工程
からなるカルボキシメチルセルロース塩の製造方法であって、
前記（ｂ）工程における中和後のカルボキシメチルセルロース塩水溶液のｐＨが７．０〜９．０、カルボキシメチルセルロース塩水溶液から分離されたカルボキシメチルセルロース塩における溶媒／カルボキシメチルセルロース塩固形分の重量比が０．５〜３．０、および該工程（ｃ）が、４０〜８０℃においてカルボキシメチルセルロース塩１００重量部に対して漂白剤として１〜５重量％過酸化水素水溶液を２〜１０重量部添加して行なわれることを特徴とするカルボキシメチルセルロース塩の製造方法である。
【００１８】
原料セルロースとしては、特に限定はされないが、粉砕パルプ、木材パルプ、コットンリンタ−パルプなどがある。
【００１９】
原料セルロースと反応させるアルカリとしては、水酸化ナトリウム、水酸化カリウムなどが挙げられる。
【００２０】
原料セルロースとアルカリとを反応させる際の溶媒としては、アルカリとの相溶性をもたせるため、含水有機溶媒が使用される。有機溶媒としては、エチルアルコール、メチルアルコール、ｎ−プロピルアルコール、イソプロピルアルコール、ｎ−ブチルアルコール、イソブチルアルコールなどの炭素数１〜４のアルコール類、アセトン、ジエチルケトン、メチルエチルケトンなどのケトン類、ジオキサン、ジエチルエーテルなどが挙げられる。これらは単独で用いてもよく、２種以上の混合物として用いてもよい。とくに入手の手軽さ、低価格、取り扱いやすさの点で、イソプロピルアルコール、エチルアルコール、メチルアルコールが好ましい。さらに、エチルアルコール−ベンゼン、エチルアルコール−トルエン、イソプロピルアルコール−ベンゼンなどの混合溶媒も使用できる。
【００２１】
含水有機溶媒中の有機溶媒と水の重量比としては、反応系中のアルカリ濃度を充分に高濃度に保つことができるという観点から、有機溶媒：水が７０：３０〜９６：４が好ましく、７５：２５〜９０：１０がより好ましい。有機溶媒と水との重量比が９６：４を外れて水の量が少なくなると、水によるセルロース分子へのアタックが減少し、結晶化領域の破壊が少なくなり、水溶液としたときに透明性が高いＣＭＣ塩を得ることが困難になる。一方、有機溶媒と水との重量比が７０：３０をはずれて水の量が多くなると、水とカルボキシメチルエーテル化剤とのあいだでの副反応が進み、カルボキシメチルエーテル化剤の有効利用率が低下する。
【００２２】
原料セルロースとアルカリとを反応させる際に、含水有機溶媒／原料セルロースとの重量比は２〜２５が好ましく、３〜１０がより好ましく、３．５〜５がさらに好ましい。含水有機溶媒と原料セルロースとの重量比が２より小さくなり含水有機溶媒が少なくなると、有機溶媒と原料セルロースを充分に撹拌混合できなくなるため、反応機に対する撹拌時の負荷が大きくなり、均一な反応に支障が生じる。一方、含水有機溶媒と原料セルロースとの重量比が２５より大きくなり有機溶媒が多くなると、原料経費が大きくなる。
【００２３】
アルカリの添加量においては、原料セルロースのグルコース単位１ｍｏｌあたり好ましくは０．５〜１０ｍｏｌ、より好ましくは１〜５ｍｏｌである。アルカリの添加量が１０ｍｏｌより多くなるとカルボキシメチルエーテル化剤の有効利用率の低下をまねく。また、アルカリの添加量が０．５ｍｏｌより少なくなると、アルカリの不足により充分なアルカリセルロースを製造することができない。
【００２４】
原料セルロースとアルカリとを反応させてアルカリセルロースを製造する反応は、０〜５０℃で行なうことが好ましく、１０〜４０℃で行なうことがより好ましい。反応温度が０℃より低いと冷却に多くの制約を必要とするため好ましくなく、５０℃より高いと原料セルロースの重合度が低下する。原料セルロースとアルカリとの反応においては、１０〜１８０分間撹拌混合することが好ましく、２０〜９０分間撹拌混合することがより好ましい。反応時間が１０分より短くなると反応が不充分となる。一方、反応時間が１８０分より長くなると原料セルロースの重合度が低下する。
【００２５】
アルカリセルロースをエーテル化するために用いられるカルボキシメチルエーテル化剤としては、モノクロロ酢酸、モノクロロ酢酸ナトリウム、モノクロロ酢酸メチル、モノクロロ酢酸エチルおよびモノクロロ酢酸イソプロピルなどが挙げられる。これらの中では、原料の入手しやすさという点でモノクロロ酢酸、モノクロロ酢酸ナトリウムが好ましい。
【００２６】
カルボキシメチルエーテル化剤の添加量は、目的とするＣＭＣ塩のエーテル化度に応じて適宜決定することができる。たとえば、本発明により得られるＣＭＣ塩のエーテル化度は、好ましくは０．５〜２．０、より好ましくは０．６〜１．０である。エーテル化度が０．５より小さい場合には、水溶液に濁りが生じる傾向がある。
【００２７】
カルボキシメチルエーテル化剤は、通常、含水有機溶媒に溶解させた溶液として、アルカリセルロースに添加される。含水有機溶媒としては、原料セルロースとアルカリとの反応に用いられる含水有機溶媒と同様の溶媒を用いることができる。
【００２８】
カルボキシメチルエーテル化剤の添加混合する時の反応温度は、５０〜９０℃で行なうことが好ましく、７０〜８８℃で行なうことがより好ましい。添加混合の温度が５０℃より低いと反応が進行せず、９０℃より高いと高温による溶媒の揮発が強く、環境上好ましくない。またカルボキシメチルエーテル化反応時間は、６０〜３６０分間かけて行なうことが好ましく、６０〜１２０分間かけて行なうことがより好ましい。添加混合にかける時間が６０分より短くなるとカルボキシルメチルエーテル化剤の副分解反応が促進される。３６０分より長くなると、いたずらに反応時間の延長となる。
【００２９】
原料セルロースをアルカリセルロース化させたのち、さらにエーテル化したＣＭＣ塩反応液を中和する反応剤としては、例えば、酢酸、クエン酸、リンゴ酸、スルファミン酸、プロピオン酸、ギ酸などを用いることができる。エーテル化反応後のＣＭＣ塩反応液のｐＨは７．０〜９．０である。ｐＨが７．０より小さいと過酸化水素が充分に酸化効果に結びつかないため、充分な効果が得られない傾向があり、ｐＨが９．０より大きいと過酸化水素自体が分解するため充分な効果が得られない傾向がある。
【００３０】
ＣＭＣ塩水溶液から分離されたＣＭＣ塩において、残留した溶媒／ＣＭＣ塩固形分の重量比は０．５〜３．０であり、０．５〜２．０であることが好ましい。残留した溶媒／ＣＭＣ塩固形分の質量比が、０．５より小さいとＣＭＣ塩の固形分が多いことから添加した過酸化水素が充分に混練されず、不均一となるため、効果が小さくなる。また、３．０より大きいと、過酸化水素濃度が小さくなることから酸化効果が小さくなる傾向がある。
【００３１】
ＣＭＣ塩の漂白剤においては、たとえば、過酸化水素水、過酸化水素塩などが挙げられる。なかでも使いやすさと分解後の副生物が水である観点から、過酸化水素水を用いることが特に好ましい。
【００３２】
ＣＭＣ塩の漂白剤として、過酸化水素水の濃度は１〜５重量％であり、２〜３重量％であることが好ましい。過酸化水素水の濃度が１重量％より小さくなると、漂白するための充分な量を得ることができないという傾向がある。濃度が５重量％より大きくなると、白色度向上よりもＣＭＣの開重合効果が大きくなるという傾向がある。
【００３３】
ＣＭＣ塩の漂白剤として、過酸化水素水の添加量はＣＭＣ塩１００重量部に対して２〜１０重量部であり、３〜５重量部であることが好ましい。２重量部より小さいと漂白が充分に行なわれず、白色度が低下する傾向がある。１０重量部より大きいと、粘度が低下する傾向がある。
【００３４】
ＣＭＣ塩の漂白において反応温度は４０〜８０℃であり、４５〜６０℃であることが好ましい。温度が４０℃より小さいと過酸化水素の酸化効果が小さくなる傾向がある。温度が８０℃より大きいと、過酸化水素の自己分解が生じてしまい、得られる効果が小さくなる傾向がある。
【００３５】
さらに、本発明は、（ｄ）カルボキシメチルセルロース塩の副生塩および残存漂白剤を除去する工程を含むカルボキシメチルセルロース塩の製造方法にも関する。
【００３６】
ＣＭＣ塩の副生塩および残存漂白剤を除去するメタノール水溶液の濃度としては、６０〜９５重量％が好ましく、６５〜８５重量％がより好ましい。濃度が６０重量％より小さいとＣＭＣ塩が溶解する傾向がある。濃度が９５重量％より大きいと、充分に副生塩を除去できない傾向がある。
【００３７】
ＣＭＣ塩１００重量部に対しての副生塩および残存漂白剤を除去するメタノール水溶液としては、５〜１０重量部が好ましく、６〜８重量部がより好ましい。メタノール水溶液が５重量部より少ないと充分に副生塩を除去できない傾向がある。なお、１０重量部より多くても特に支障はないが、いたずらに使用量を増やすこととなる。
【００３８】
ＣＭＣ塩の副生塩および残存漂白剤を除去する工程において、溶媒を用いて洗浄することが好ましい。溶媒としては、メタノール、エタノール、イソプロピルアルコール、アセトンなどが挙げられる。なかでも、安価である点からメタノールを用いることが特に好ましい。
【００３９】
漂白後のＣＭＣ塩の白色度のＬ値としては、８０以上が好ましく、８５以上がより好ましく、９０以上がさらに好ましい。白色度のＬ値が８０より小さくなると、商品価値が低く見られるため好ましくない。
【００４０】
本発明の製造方法で得られるＣＭＣ塩は、飲料、食品シロップ、ゼリー菓子、透明インク、医薬用基材、練り歯磨き粉などの用途に、好ましく利用できる。
【実施例】
【００４１】
以下、実施例によって本発明を具体的に説明するが、本発明はこれらに限定されるものではない。
【００４２】
実施例１（ＣＭＣ塩（Ａ）の合成）
５ｌ二軸ニーダー型反応機に水４００ｇおよびＩＰＡ１６００ｇからなる含水有機溶媒２０００ｇに水酸化ナトリウム９５ｇを溶解し、チップ状の原料セルロース（商品名：ＮＤＰ−Ｓ、水分約７％、日本製紙ケミカル（株）製）２００ｇを約５分間かけて投入し、２５℃に温度調整しながら３０分間撹拌してアルカリセルロースを得た。
【００４３】
さらに、このアルカリセルロースに含水有機溶媒１００ｇ（水２０ｇ、ＩＰＡ８０ｇ）を加え、モノクロロ酢酸１００ｇを１０分間かけて添加した。次に２０分間撹拌して充分に混合したのち昇温し、７７℃で９０分間エーテル化反応を行ない反応を完了させた。
【００４４】
反応後、所定温度にし、未反応の過剰の水酸化ナトリウムを５０％に希釈した酢酸でｐＨを７．３に調整した。
【００４５】
反応終了物を遠心分離機でしぼり溶媒／ＣＭＣ塩固形分の比が１．０である粗ＣＭＣ塩を得た。
【００４６】
この粗ＣＭＣを１００重量部取り、５ｌ二軸ニーダー型反応機に仕込み、５０℃に温度調整後、２．０重量％に濃度調整した過酸化水素水を２〜１０重量部添加し、１０分間撹拌した。
【００４７】
その後、メタノールで洗浄操作を２回繰り返した後、遠心分離機で脱溶媒して乾燥・粉砕し、ＣＭＣ塩（Ａ）を得た。
【００４８】
得られたＣＭＣ塩（Ａ）のエーテル化度、粘度および白色度を次の方法により測定した。結果を表２に示す。
【００４９】
（ａ）エーテル化度
無水物の試料を０．５〜０．７ｇ精密に量り、ろ紙に包んで磁製るつぼで灰化させた。冷却した後、これを５００ｍｌビーカーに移し、水約２５０ｍｌさらにピペットで硫酸３５ｍｌ（濃度：０．０５ｍｏｌ／ｌ）を加えて３０分間煮沸した。これを冷却し、フェノールフタレイン指示薬を加えて、過剰の酸を０．１ｍｏｌ／ｌ水酸化カリウムで逆滴定して次の式によって算出した。
Ａ＝（ａｆ’−ｂｆ）／試料無水物（ｇ）−アルカリ度
エーテル化度＝１６２×Ａ／１００００−８０Ａ
【００５０】
Ａ  ：試料１ｇ中の結合アルカリに消費される０．０５ｍｏｌ／ｌ硫酸のｍｌ
ａ  ：０．０５ｍｏｌ／ｌ硫酸の使用量（ｍｌ）
ｆ’：０．０５ｍｏｌ／ｌ硫酸の力価
ｂ  ：０．１ｍｏｌ／ｌ水酸化カリウムの使用（ｍｌ）
ｆ  ：０．１ｍｏｌ／ｌ水酸化カリウムの力価
【００５１】
式中、“１６２”はセルロース一単位当たりの分子量、“８０”はＣＨ3ＣＯＯＮａ−Ｈの分子量を示す。
【００５２】
なお、アルカリ度については、試料（無水物）１ｇを３００ｍｌ三角フラスコに精密に量り取り、水約２００ｍｌを加えて溶かし、これに０．０５ｍｏｌ／ｌ硫酸５ｍｌをピペットで加え、１０分間煮沸したのち冷却して、フェノールフタレイン指示薬を加え、０．１ｍｏｌ／ｌ水酸化カリウムで滴定した（Ｓｍｌ）。同時に空試験を行ない（Ｂｍｌ）、次の式によって算出した。
アルカリ度＝（Ｂ−Ｓ）ｆ／試料無水物（ｇ）
【００５３】
（ｂ）粘度
共栓付き三角フラスコにＣＭＣ塩と水を加え、溶液を一夜間放置後、マグネチックスターラーで約５分間撹拌させ、口径約４．５ｍｍ、高さ約１４５ｍｍのふた付き容器に移し、２５±０．２℃の恒温槽に３０分間保持した。溶液が２５℃になったところでガラス棒でゆるくかき混ぜて、ＢＭ型粘度計の適当なローターおよびガードを取り付け、ローターを回転させ開始３分後の目盛を読み取った。
【００５４】
（ｃ）白色度
日本電色工業（株）製のＳＰＥＣＴＲＯ  ＣＯＬＯＲ  ＭＥＴＥＲ  ＳＥ２０００によりＬ値を測定した。
【００５５】
実施例２（ＣＭＣ塩（Ｂ）の合成）
水酸化ナトリウムの添加量を１２０ｇ、モノクロロ酢酸の添加量を１３０ｇとした以外は（ｉ）と同様の方法によりＣＭＣ塩（Ｂ）を得た。得られたＣＭＣ塩（Ｂ）のエーテル化度、粘度および白色度を前記の方法により測定した。結果を表２に示す。
【００５６】
実施例３（ＣＭＣ塩（Ｃ）の合成）
原料セルロースとして「ＬＤＰＴＴ」（水分約７％、日本製紙ケミカル（株）製）を用い、水酸化ナトリウムの添加量を９５ｇ、モノクロロ酢酸の添加量を１００ｇとした以外は（ｉ）と同様の方法によりＣＭＣ塩（Ｃ）を得た。得られたＣＭＣ塩（Ｃ）のエーテル化度、粘度および白色度を前記の方法により測定した。結果を表２に示す。
【００５７】
比較例１〜５
中和後の溶液のｐＨ、粗ＣＭＣ塩における溶媒／ＣＭＣ塩固形分比、過酸化水素の添加温度および濃度を表２にしたがって変化させた以外は、実施例１と同様の方法によりＣＭＣ塩を得た。
【００５８】
得られた各ＣＭＣ塩について、エーテル化度、粘度および白色度を前記の方法により測定した。結果を表２に示す。
【００５９】
比較例６〜１０
中和後の溶液のｐＨ、粗ＣＭＣ塩における溶媒／ＣＭＣ塩固形分比、過酸化水素の添加温度および濃度を表２にしたがって変化させた以外は、実施例２と同様の方法によりＣＭＣ塩を得た。
【００６０】
得られた各ＣＭＣ塩について、エーテル化度、粘度および白色度を前記の方法により測定した。結果を表２に示す。
【００６１】
比較例１１〜１４
中和後の溶液のｐＨ、粗ＣＭＣ塩における溶媒／ＣＭＣ塩固形分比、過酸化水素の添加温度および濃度を表２にしたがって変化させた以外は、実施例３と同様の方法によりＣＭＣ塩を得た。
【００６２】
得られた各ＣＭＣ塩について、エーテル化度、粘度および白色度を前記の方法により測定した。結果を表２に示す。
【００６３】
【表２】
2006241374.tif 000003
【００６４】
表２によると、実施例１〜３では、特定のｐＨ、温度、添加量、および濃度で過酸化水素を使用することにより、セルロースの解重合への影響を極力おさえることができ、白色度向上効果を大きくすることができる。一方、これらの条件を満たさない比較例１〜１４におけるＣＭＣ塩は、粘度低下が大きく、白色度が劣ったものとなる。
【００６５】
なお、粗ＣＭＣ塩における溶媒／ＣＭＣ塩固形分比が小さいと添加した過酸化水素が充分均一に混練されず不均一になり、逆に該比率が大きくなると過酸化水素濃度が低くなることから白色度向上化効果が小さくなることがわかる。